(57)【要約】【課題】大気中を流動し、或は浮遊する煙草の煙、花粉症の原因となる花粉、塵埃、臭の分子を超微細クラスター状水粒子により捕捉して回収することにより、屋内の空気を効果的に、かつ確実に浄化し、また消臭することができる。【解決手段】超微細水噴射手段により超微細クラスター状水粒子を屋内に噴射して流動させることにより、大気中の汚染粒子を該超微細クラスター状水粒子で捕捉する。汚染粒子を捕捉した汚染水粒子は吸引回収手段により回収し、除湿装置により空気と水分に分離して回収する。【選択図】  図１
2005021808.tif 000002
【特許請求の範囲】
【請求項１】
微細粒水噴射手段により超微細クラスター状水粒子を屋内に噴射して流動させることにより、大気中の汚染粒子を該超微細クラスター状水粒子で捕捉し、該汚染粒子を捕捉した汚染水粒子は吸引回収手段により回収するようにしてなる屋内の空気浄化及び消臭方法。
【請求項２】
前記吸引回収手段は、除湿装置である請求項１記載の屋内の空気浄化及び消臭方法。
【請求項３】
噴射用開口部及び吸込み用開口部を有し、屋内に設置するケーシングと、該ケーシング内に設けられ、前記噴射用開口部から大気中に超微細クラスター状水粒子を噴射する微細粒水噴射手段と、前記ケーシング内に設けられ、大気中を流動する間に汚染粒子を捕捉した汚染水粒子を前記吸込み用開口部を介して吸引して回収する吸引回収手段とから構成してなる屋内の空気浄化及び消臭装置。
【請求項４】
前記吸引回収手段は、除湿装置である請求項３記載の屋内の空気浄化及び消臭装置。
【発明の詳細な説明】
【０００１】
【発明の属する技術分野】
本発明は、例えば病院や集会場の喫煙室、会議室、公共施設内の喫煙コーナー等での煙草の煙やその臭、また大気中を浮遊する花粉や塵埃等を除去して空気を浄化する屋内の空気浄化及び消臭方法並びに屋内の空気浄化及び消臭装置に関する。
【０００２】
【従来の技術】
近年、煙草の煙により汚染された空気が健康被害を招くことや、ニコチン・タールなら成るヤニによる屋内の壁等の黄ばみの汚れが問題となっている。そこで、屋内を喫煙可能なスペースと禁煙スペースとに分離する分煙対策が採られ、喫煙スペースに空気清浄機を設置して煙草の煙が拡散しないようにする対策が採られている。従来の空気清浄機は、図５に示すように、ケーシング５１の天板５２に吸引用開口部５２Ａ、ケーシング５１の側板５３に排気用開口部５３Ａ、５３Ａを夫々設け、各排気用開口部５３Ａに面してフィルター５４を配置し、ケーシング５１内に吸引ファン５５を設置した構成からなるもので、煙草の煙Ａを吸引ファン５５により吸引用開口部５２Ａから吸引し、フィルター５４により濾過して各排気用開口部５３Ａから室内に排気するようにしたものである。
【０００３】
【発明が解決しようとする課題】
しかし、従来の空気清浄機は煙草の煙に含まれる有害成分をフィルター５４で完全に除去することは不可能であるという欠点や、フィルター５４の定期交換によるコストが嵩むという欠点があるし、煙草の煙を完全に吸引することは不可能であるために煙が周囲に拡散して第三者が受動喫煙してしまうという欠点と、煙が屋内の壁に沿って上昇するために壁や天井がヤニで汚れる問題を解決できないという欠点がある。
【０００４】
本発明は上述した従来技術の諸欠点に鑑みなされたもので、屋内の大気中を流動し或は浮遊している煙草の煙、臭い、花粉症の原因となる花粉や塵埃等の汚染粒子を超微細水粒子で捕捉して回収することにより、屋内の空気を確実、かつ効果的に浄化し、消臭することができる屋内の空気浄化及び消臭方法並びに屋内の空気浄化及び消臭装置を提供することを目的とする。
【０００５】
【課題を解決するための手段】
上述した課題を解決するために構成された請求項１に係る本発明の手段は、微細水噴射手段により超微細クラスター状水粒子を屋内に噴射して流動させることにより、大気中の汚染粒子を該超微細クラスター状水粒子で捕捉し、該汚染粒子を捕捉した汚染水粒子は吸引回収手段により回収するようにしたものからなる。
【０００６】
そして、前記吸引回収手段に、除湿装置を用いるとよい。
【０００７】
また、請求項３に係る本発明を構成する手段は、噴射用開口部及び吸込み用開口部を有し、屋内に設置するケーシングと、該ケーシング内に設けられ、前記噴射用開口部から大気中に超微細クラスター状水粒子を噴射する微細粒水噴射手段と、前記ケーシング内に設けられ、大気中を流動する間に汚染粒子を捕捉した汚染水粒子を前記吸込み用開口部を介して吸引して回収する吸引回収手段とからなる。
【０００８】
そして、前記吸引回収手段に、除湿装置を用いるとよい。
【０００９】
【発明の実施の形態】
以下、本発明の実施の形態を図１乃至図４に基づき詳述する。図１及び図２において、１は喫煙室や会議室等の屋内Ｂに設置するテーブルで、該テーブル１は底部２と、左右及び前後の四面の側板３、３、４、４と、該側板３、３、４、４の上端に搭載した天板５とから内部を機械室１Ａとするケーシングを構成している。そして、左右の側板３、３に吸込み用開口部３Ａ、３Ａが形成してあり、該各吸込み用開口部３Ａにはパンチングメタル６が設けてある。また、天板５には噴射用開口部５Ａが形成してあり、その周囲を枠状囲い板７で囲繞することにより噴射用開口部５Ａ内に異物が落下しないようにしてある。
【００１０】
８は前記テーブル１の機械室１Ａに設置した給水タンクで、該給水タンク８には給水管９から噴射用の浄水が供給されるようになっている。給水管９の先端にはボールタップ１０が設けてあり、給水タンク８内の水位を一定に保持するようにしてある。また、給水管９の途中には給水タンク８内に設置したフロートスイッチ１１からの信号により閉弁する緊急遮断用電磁弁１２が設けてあり、ボールタップ１０が故障した場合に給水タンク８がオーバーフローするのを防止するようにしてある。
【００１１】
１３、１３は前記給水タンク８内の水を粒径約１０ミクロンの超微細クラスター状水粒子にして噴霧する噴射ノズルで、該噴射ノズル１３、１３は天板５の噴霧用開口部５Ａにノズル先端を向けて機械室１Ａに設置してあり、各噴射ノズル１３と天板５との間には周囲に穴１４Ａを有するラッパ状のサイレンサー１４を配置して噴射音を吸収するようにしてある。１５は噴射ノズル１３に噴射用の浄水を供給する供給管で、該供給管１５は基端１５Ａ側を給水タンク８内に挿入し、先端を噴射ノズル１３に接続してあり、途中には流量計１６を設けて給水量を調整できるようにしてある。
【００１２】
また、１７は各噴射ノズル１３に圧縮空気を供給する圧縮空気供給装置で、該圧縮空気供給装置１７は図示しないエアコンプレッサーと、該エアコンプレッサーに基端が接続され、先端が各噴射ノズル１３に接続した圧縮空気供給管１８と、該圧縮空気供給管１８の途中に設けられて圧縮空気の噴射動作を制御する電磁式開閉弁１９と、その下流側に設けたレギュレータ２０とから構成してある。そして、圧縮空気供給装置１７は、圧縮空気供給管１８を介してエアコンプレッサーから噴射ノズル１３に約０．２５Ｍｐａの圧縮空気を吹き込んで噴射ノズル１３内に負圧を発生させることにより水を破砕して１０ミクロンの超微細クラスター状水粒子に生成して噴射させるものである。
【００１３】
２１は一対の噴射ノズル１３、１３の下方に位置して機械室１Ａに設置したドレンパンで、該ドレンパン２１は各噴射ノズル１３の結露水を回収して後述する排水タンク２３に排水するようにしてある。
【００１４】
かくして、本実施の形態において、微細粒水噴射手段は、給水管９から浄水が補給される給水タンク８、供給管１５を介して給水タンク８と接続され、超微細クラスター状水粒子を室内に噴射するための噴射ノズル１３、噴射ノズル１３に圧縮空気を供給して浄水を超微細クラスター水粒子に生成して噴射するための圧縮空気供給装置１７と、後述する制御盤２６とから構成してある。
【００１５】
次に、２２、２２は大気中の汚染粒子を捕捉した汚染水粒子を回収するための水滴回収手段を構成する除湿装置で、該除湿装置２２、２２はテーブル１の吸込み用開口部３Ａ、３Ａに対面して機械室１Ａに設置してある。該各除湿装置２２はハウジング２２Ａと、該ハウジング２２Ａ内の下流側に配置した吸込みファン２２Ｂと、吸込みファン２２Ｂの上流側に配置した除湿機本体２２Ｃと、ドレン排水管２２Ｄと、内蔵の湿度センサ２２Ｅとから構成してある。
【００１６】
２３は前記除湿装置２２、２２により回収した汚染水滴及び結露水を貯留するために機械室１Ａに設置した排水タンクで、該排水タンク２３には回収して貯留した水を外部に放出するための排水ポンプ２４が設けてある。また、排水タンク２３にはフロースイッチ２５が設けてあり、排水タンク２３内が満水になるとフロースイッチ２５が作動して水と圧縮空気の供給及び除湿装置２２の運転を停止するようになっている。
【００１７】
２６はテーブル１の一側の側部３に設けたマイコンから構成してなる制御盤で、該制御盤２６は水供給用の緊急遮断弁１２、圧縮空気供給用の電磁式開閉弁１９、除湿装置２２、操作スイッチ２７及び屋内Ｂの湿度を検出する湿度センサ２８と夫々接続している。
【００１８】
本実施の形態に係る屋内の空気浄化及び消臭装置は上述の構成からなるが、次にその作動について説明する。先ず、操作スイッチ２７をＯＮにすると、電磁式開閉弁１９が開弁してエアコンプレッサーから圧縮空気が各噴射ノズル１３に供給される。これにより各噴射ノズル１３内が負圧になって給水タンク８の浄水が吸引され、超微細クラスター状水粒子となって噴射される。
【００１９】
屋内Ｂの湿度は湿度センサー２８により検出しており、通常５５％に設定してある湿度を越えた場合には、制御盤２６からの信号により装置は自動的に停止し、湿度が５５％に低下すると自動的に始動する。また、除湿装置２２は内蔵の湿度センサ２２Ｅの検知湿度を５０％に設定して自動的にＯＮ、ＯＦＦ動作をするようにすることにより、室内Ｂの相対湿度は５０〜５５％の間で推移するようにしてある。
【００２０】
室内Ｂに噴射された超微細クラスター状水粒子は霧状或は水煙状で流動し、この間に汚染粒子を捕捉することにより汚染水粒子となる。汚染粒子を捕捉した汚染水粒子は除湿装置２２の吸引力により生じる大気の流れに乗って流動し、やがて図２に示すように、除湿装置２２の吸引力により空気と共に吸込み用開口部３Ａから吸い込まれる。そして、除湿装置２２は吸い込んだ汚染水粒子を水分と空気とに分離し、分離した水分はドレンとして排水タンク２３に排出する。他方、除湿装置２２により水分が分離された空気は機械室１Ａ内に放出され、サイレンサー１４の各穴１４Ａから誘導されて超微細クラスター状水粒子に混合されて室内Ｂに噴射されるようになっている。
【００２１】
次に、図３及び図４は実施の形態の変形例を示し、その特徴とするところはケーシング３１を底板３２、前後側板３３、３３、左右側板３４、３４及び天板３５とから縦長の箱型に形成し、該ケーシング３１の前板３３の吸込み用開口部３３Ａにパンチングメタル３６を設けて前面から汚染水粒子を吸い込み、天板３５に可動式の噴射筒３７、３７を突設して、各噴射筒３７から超微細クラスター状水粒子を噴射するようにしたことにある。そして、該各噴射筒３７は左右方向に回動可能、かつ上下方向に動屈曲可能に構成することにより噴射口３７Ａの角度を変位可能にしてある。なお、超微細クラスター状水粒子を噴射する機構は、第１の実施の形態と同様の超微細水噴射手段と吸引回収手段とから構成してあるので、その詳細は省略する。
【００２２】
本変形例によれば、ケーシング３１を縦長の箱型に形成し、前面から汚染水粒子を吸い込むようにしたから、屋内Ｂの壁に沿って配置するのに好適である。また、噴射筒３７は左右方向に回動可能、かつ上下方向に屈曲可能に構成したから、屋内Ｂの構造や煙草の煙の流れる方向に噴射口３７Ａを対応させる等、空気の浄化及び消臭に最適な方向に超微細クラスター状水粒子を噴射することができるという利点がある。
【００２３】
【発明の効果】
本発明は以上詳述した如く構成したから、下記の諸効果を奏する。
（１）煙草の煙、花粉、塵埃、臭の粒子等の汚染粒子は超微細クラスター状水粒子により捕捉して回収するようにしたから、屋内の空気を浄化することができるし、煙草の特有のヤニ臭その他の異臭を除去することができる。
（２）超微細クラスター状水粒子が霧状或は水煙状をなして屋内の壁、天井に沿って流動するから、建屋の壁、天井に煙草のヤニが付着することがなく、黄ばみを抑制することができる。
（３）超微細クラスター状水粒子により煙草の煙分子等の汚染粒子を捕捉し、汚染水粒子の状態で回収するようにしたから、フィルタの汚染が少なく、フィルタ交換の期間を延長できることから、ランニングコストを従来の空気清浄機と比較して２分の１以下に低減することができる。
（４）屋内に超微細クラスター状水粒子を噴射することにより、屋内の相対湿度の管理も容易に行なうことができる。
【図面の簡単な説明】
【図１】図１乃至図４は本発明の実施の形態に係り、図１は屋内の空気浄化及び消臭装置の全体構成図である。
【図２】屋内の空気浄化及び消臭装置が屋内に噴射した超微細クラスター状水粒子の流れを示す説明図である。
【図３】図３及び図４は実施の形態の変形例を示し、図３は屋内の空気浄化及び消臭装置の正面図である。
【図４】屋内の空気浄化及び消臭装置の右側面図である。
【図５】従来技術に係る空気清浄機の概略図である。
【符号の説明】
１        テーブル（ケーシング）
３Ａ      吸込み用開口部
５Ａ      噴射用開口部
８        給水タンク
１３      噴射ノズル
１７      圧縮空気供給手段
２２      除湿装置（吸引回収手段）
２３      排水タンク
【図１】
2005021808.tif 000003
【図２】
2005021808.tif 000004
【図３】
2005021808.tif 000005
【図４】
2005021808.tif 000006
【図５】
2005021808.tif 000007